(57)【要約】【課題】  従来、帯状のソーラーセルをムーブメント支持台に組み込む場合、組込安定性向上のためにソーラーセルを延出して穴等を設け、ムーブメント支持台に設けたフック等に係合させることで固定していたが、ソーラーセルの形状が複雑になるため加工コストが高いという問題点がある。【解決手段】  ソーラーセル１７と導通部材２９及び位置決め部材３１を別体として成形し、ソーラーセル１７の裏面に導通部材２９の固着部２９ａと位置決め部材３１の固着部３１ａを接着することでソーラーセル体３７を形成し、各々の部品は単純な形状とすることができ、生産コストを低く抑えることができる。また、ソーラーセル１７の裏面全面に導通部材２９と位置決め部材３１の固着部３１ａを接着することで、ソーラーセル１７に剛性を持たせることができる。【選択図】  図３
2010025834.tif 000002
【特許請求の範囲】
【請求項１】
時刻を表示するための表示部と、該表示部の表面に対してほぼ垂直に受光面を配置するソーラーセルと、前記ソーラーセルの発電エネルギーによって駆動されるムーブメントと、該ムーブメントを構成し前記表示部の外周部に位置するムーブメント支持台とを備え、前記ソーラーセルは前記ムーブメントの電子回路と電気的導通を行なう導通部材と、前記ムーブメント支持台の固定部に係合する位置決め部材を有するソーラーセル付き電子時計において、
前記導通部材と、前記位置決め部材と、前記ソーラーセルとは各々別体の部材で構成されていることを特徴とするソーラーセル付き電子時計。
【請求項２】
前記導通部材と前記位置決め部材は前記ソーラーセルの裏面に固着する各々固着部を有し、前記導通部材と前記位置決め部材の前記固着部は前記ソーラーセル裏面のほぼ全面領域に固着されていることを特徴とする請求項１に記載のソーラーセル付き電子時計。
【請求項３】
前記ムーブメント支持台に前記ソーラーセルの裏面側を保持する側壁部を設け、該側壁部の内周面に前記位置決め部材に設けられた位置決め部と係合するための前記固定部を設けることを特徴とする請求項１または２に記載のソーラーセル付き電子時計。
【請求項４】
前記ソーラーセルを前記側壁部の内周面に位置決めしたとき、前記導通部材と前記位置決め部材は前記ムーブメントを挟んでほぼ対向する位置に配設することを特徴とする請求項３に記載のソーラーセル付き電子時計。
【請求項５】
前記位置決め部はＬ字形の形状であることを特徴とする請求項３に記載のソーラーセル付き電子時計。
【請求項６】
前記位置決め部材は、前記ソーラーセル裏面の略中間位置に一定距離をおいて前記ソーラーセルに２個固着されていて、一方を切断して使用することを可能としたことを特徴とする請求項１から５のいずれか１項に記載のソーラーセル付き電子時計。
【発明の詳細な説明】
【技術分野】
【０００１】
本発明は、細長い帯状のソーラーセルの受光面を表示部に対して略垂直に配置したソーラーセル付き電子時計の構造に関するもので、詳しくは組込性を良くしたソーラーセル体の構造に関するものである。
【背景技術】
【０００２】
従来のソーラー発電時計においては光の照射を受けて発電する受光面が、例えば指針表示式時計で見た時、時刻表示を行う指針および文字板の下に配置される構成が一般的である。このような時計では通常、デザイン的装飾を行う文字板と受光面がほぼ平面領域を同じくするため、文字板に光を透過させる特性が要求される。このため、文字板材質などに制約があり、文字板色調等デザインの自由度が制限されてしまう。そこで、この問題を解決するソーラー発電時計の１つの構造として、受光面を有するソーラーセルを文字板と平面的に重合させて配置するのではなく、文字板の周囲の側胴内壁部に受光面を垂直に配置させたリングソーラー時計が考案され実用化されている。
【０００３】
リングソーラー時計の場合、光の透過性能が要求されない文字板を使用できるため、デザイン的に全く制約を受けないのでソーラー時計以外の時計と同じデザインの時計を提供することが出来るが、このタイプのソーラー発電時計においてはそのソーラーセルの組込性に問題点を有している。
【０００４】
そこで、リング状のソーラーセルを容易に組立可能とする構造を用いた電子時計として、特許文献１に開示された構成がある。特許文献１の電子時計では、ソーラーセルがムーブメントに対して垂直方向へ移動することを防止するため、ソーラーセルにフック引っ掛かり部を設け、このフック引っ掛かり部にフック引っ掛け穴を形成する。またソーラーセルを保持するムーブメント支持台には規制部材としてフック部を設けた。そして、ソーラーセルのフック引っ掛け穴がムーブメント支持台のフックに係合されることにより、ソーラーセルが組込状態から脱することなく、組立作業性が良好となる。
【０００５】
また、特許文献２の電子時計では、ソーラーセルの発電電力を取り出す引き出し電極とソーラーセルとを別体とし、ソーラーセルの形状を単純化して製造を容易にすることで加工コストの低下を図っている。
【０００６】
【特許文献１】特開２００３−１２１５６７号公報（段落番号０００８、０００９及び図１、図２）
【特許文献２】国際公開  ＷＯ２００４／６６０４２号公報（第４頁、第６頁及び図２、図３）
【発明の開示】
【発明が解決しようとする課題】
【０００７】
しかしながら、特許文献１の構成では、ソーラーセルに一体形成したフック引っ掛かり部にフック引っ掛け穴をソーラーセル面から突出させて設けるためソーラーセル体そのものが複雑な形状となるので、加工コストが高くなるという課題を有する。また、ソーラーセル体単体では剛性が低いので、フック部等規制部材を設けても、組立作業性に難があるという課題を有する。また、ムーブメントのサイズが変更となると、それに伴いソーラーセルのフック引っ掛かり部及びフック引っ掛け穴の位置が変更となるので、ソーラーセルを共通使用できないという課題を有する。
【０００８】
また、特許文献２の構成は、ソーラーセルの保持方法が、丸めたソーラーセルが広がろうとする張力又は接着等であるので、張力を利用する場合はソーラーセルが組込状態を脱してはずれやすく、接着である場合は組込後に容易に分解することが出来ないという課題を有する。
【０００９】
本発明の目的は、以上のような課題を解決し、リングソーラー発電時計のソーラーセル体の低コスト化を図りながら且つ組立作業性を良好とするソーラーセル体の構造を提供することである。
【課題を解決するための手段】
【００１０】
上記目的を達成するため、本発明のソーラーセル付き電子時計は、時刻を表示するための表示部と、該表示部の表面に対してほぼ垂直に受光面を配置するソーラーセル体と、前記ソーラーセルの発電エネルギーによって駆動されるムーブメントと、該ムーブメントを構成し前記表示部の外周部に位置するムーブメント支持台とを備え、前記ソーラーセル体は前記ムーブメントの電子回路と電気的導通を行なう導通部材と、前記ムーブメント支持台の固定部に係合する位置決め部材を有するソーラーセル付き電子時計において、前記導通部材と、前記位置決め部材と、前記ソーラーセルとは各々別体の部材で構成されていることを特徴とする。
【００１１】
このような構成によれば、発電を行うソーラーセル体を構成するソーラーセルと、導通部材及び位置決め部材とを別体で形成したので、高価なソーラーセルの形状を単純化させることができるため、製造が容易でありコスト低下を図ることが可能である。
【００１２】
さらに、本発明のソーラーセル付き電子時計は、前記導通部材と前記位置決め部材は前記ソーラーセルの裏面に固着する各々固着部を有し、前記導通部材と前記位置決め部材の前記固着部は前記ソーラーセル裏面のほぼ全面領域に固着されていることを特徴とする。
【００１３】
この構成によれば、導通部材と位置決め部材に形成した固着部をソーラーセルの裏面ほぼ全体に接着することによりソーラーセル体の剛性を高めることができ、丸めたソーラーセルの広がろうとする力が大きくなり、組込安定性を高めることが可能である。
【００１４】
さらに、本発明のソーラーセル付き電子時計は、前記ムーブメント支持台に前記ソーラーセルの裏面側を保持する側壁部を設け、該側壁部の内周面に前記位置決め部材に設けられた位置決め部と係合するための前記固定部を設けることを特徴とする。
【００１５】
この構成によれば、ソーラーセルの裏面側を側壁部に沿って這わせ、位置決め部を固定部に固定することで、確実なソーラーセル体の保持固定を可能とした。
【００１６】
さらに、本発明のソーラーセル付き電子時計は、前記ソーラーセルを前記側壁部の内周面に位置決めしたとき、前記導通部材と前記位置決め部材は前記ムーブメントを挟んでほぼ対向する位置に配設することを特徴とする。
【００１７】
この構成によれば、ムーブメントのほぼ直径位置でソーラーセル体を保持できるので、丸めたソーラーセル体の片側だけが浮くことなく、容易に組立を行うことが可能である。
【００１８】
さらに、本発明のソーラーセル付き電子時計は、前記位置決め部はＬ字形の形状であることを特徴とする。
【００１９】
この構成によれば、ソーラーセル体を組み込む時、ソーラーセル体を広げる方向で組むためムーブメント支持台の固定部へ位置決め部を容易に組み込むことが可能である。
【００２０】
さらに、本発明のソーラーセル付き電子時計では、前記位置決め部材は、前記ソーラーセル裏面の略中間位置に一定距離をおいて前記ソーラーセルに２個固着されていて、一方を切断して使用することを特徴とする。
【００２１】
この構成によれば、位置決め部を複数個形成することにより、ムーブメントサイズが変わっても、１つを残して位置決め部を切断すればソーラーセル体を共通使用することが可能である。
【発明の効果】
【００２２】
本発明によれば、ソーラーセルの位置決めと導通をソーラーセルとは別体の部材で行うことにより、ソーラーセルの製造が容易で生産コストを低く抑えることができ、更に位置決め部材の形状や数量を工夫することにより、組込安定性を増したソーラーセル付き電子時計を提供することが可能である。
【発明を実施するための最良の形態】
【００２３】
以下、図面に基づいて本発明を詳述する。図１〜図６は、本発明の第１の実施形態に係るリングソーラー発電時計を示すものであり、図１はリングソーラー発電時計の構造を示す外観図であり、図２はその断面図である。図３は本発明の第１の実施形態を示すソーラーセル体の形状を示す平面図、図４はソーラーセル体の使用状態を示す斜視図、図５はソーラーセル体をムーブメント支持台に組み込んだ状態を示す斜視図、図６はムーブメント支持台の内面壁を省略しソーラーセル体の位置決め構造を示す斜視図である。
【００２４】
図において、１１が側胴、１３が文字板、１５が指針であり、１７がソーラーセル、１９が風防ガラス、２１が見返しリング、２３がムーブメント、２５がムーブメント支持台、２９は導通部材、３１は位置決め部材、３３が端子押さえ、３５が裏ブタである。ムーブメント支持台２５はムーブメント２３を構成する部品の１つである。また、ソーラーセル１７と該ソーラーセル１７の裏面に接着されている後述の導通部材２９と位置決め部材３１とによりソーラーセル体３７を構成する。
【００２５】
側胴１１の表面側（図２の上側）には風防ガラス１９が保持され裏面側には裏蓋３５が固定され、文字板１３上でムーブメント２３により駆動される指針１５が回転して時刻を表示している。側胴１１の内側にはムーブメント支持台２５が配置され、このムーブメント支持台２５の内面の側壁部にソーラーセル体３７が保持されていて、ソーラーセル１７は文字板１３側に受光面を向けてほぼ直角に配設されている。ソーラーセル体３７は前述のようにソーラーセル１７と導通部材２９及び位置決め部材３１により形成されており、ソーラーセル１７の内面には見返しリング２１が配設され直接ソーラーセル１７は見えないようになっている。また、導通部材はムーブメント２３に配置されている図示しない回路基板に端子押さえ３３でもって固定されている。
【００２６】
次に本発明のソーラーセル体３７について詳細に説明する。
図３は本発明の第１の実施形態を示すソーラーセル体３７の形状であり、組込前の自然状態を示している。ソーラーセル体３７は、基板上に受光面としてのアモルファスシリコンセル層がほぼ全表面に形成されているソーラーセル１７と、ソーラーセル１７の電気的導通をとるための導通部材２９と、ソーラーセル１７の位置決めを行うための位置決め部材３１により形成されており、各部材は各々別体で形成されている。また、導通部材２９は固着部２９ａと導通部２９ｂより成り、位置決め部材３１は固着部３１ａと位置決め部３１ｂより形成されている。そして、ソーラーセル１７の裏面にそれぞれの固着部２９ａと固着部３１ａの二箇所で接着されて導通部材２９と位置決め部材３１を形成している。
【００２７】
図４はソーラーセル体の使用状態を示すもので、ソーラーセル体３７は組込時には丸められ、図５に示すようにムーブメント支持台２５に設けられた溝部４１内にソーラーセル１７の裏面を側壁部４２に沿って組み込まれる。その際、導通部材２９は、図２に示すように、端子押さえ３３によりムーブメントの部品である電子回路基板と接触させることで電気的導通を行い、位置決め部材３１は、図６に示すように、ムーブメント支持台２５に設けられた固定部であるフック３９と係合することでソーラーセル体３７の回転及び垂直方向への移動規制を行っている。
【００２８】
このように、ソーラーセル体３７は、導通部材２９と位置決め部材３１がそれぞれ位置規制されることにより固定される。本発明では、ソーラーセル１７と導通部材２９及び位置決め部材３１が各々別体で構成されているので、位置規制をソーラーセル１７のみで行った場合に必要となるフック引っ掛け穴等の複雑な形状を、ソーラーセル１７自体に設ける必要がない。このため、ソーラーセル１７は単純な帯状の長方形形状となり、取り個数の増加や歩留向上により、加工コストを低くすることが可能となる。
また、図５に示すように、導通部材２９と位置決め部材３１がムーブメント２３をはさんで対向する位置に配置することにより、丸められたソーラーセル体３７の片側が溝部４１から浮き、組込状態を脱することがなくなるため、組込作業性を向上させることが可能となる。
【００２９】
続いて、本発明の第２の実施形態について説明する。第１の実施形態の部材と同一の構成には同一の符号を付して説明を省略する。図７は本発明の第２の実施形態を示すソーラーセル体１３７の形状であり、組込前の自然状態の平面図である。位置決め部材１３１の固着部１３１aを幅広とし、固着部１３１aをソーラーセル１７の裏面に接着し、導通部材２９の固着部２９ａと合わせてソーラーセル１７の裏面ほぼ全体を覆う構成と成している。このようにすることで、ソーラーセル１７単体と比較して剛性が高く、組込時に丸められたソーラーセル体１３７が元に戻ろうとする力が大きくなる。ソーラーセル体１３７は丸められた状態から元に戻ろうとする力によってムーブメント支持台２５の側壁部４２に保持されるため、この元に戻ろうとする力が大きい本実施形態は組込後の安定性が高く、組立作業性がよい。尚、両固着部２９ａ、１３１ａはソーラーセル１７の基板裏面全面でなくともよく、両固着部２９ａ、１３１ａの周囲にソーラーセル１７の基板裏面が多少見える構成でも良い。
【００３０】
続いて、本発明の第３の実施形態について説明する。第２の実施形態同様、第１の実施形態の部材と同一の構成には同一の符号を付して説明を省略する。図８は本発明の第３の実施形態を示すソーラーセル体２３７の形状であり、組込前の自然状態の平面図である。ソーラーセル１７の裏面に複数の位置決め部材２３１の固着部２３１ａが接着されている。複数の位置決め部材２３１のうち１つを残して他の位置決め部材を切り取ることで、導通部材２９と位置決め部材２３１の距離を調節することができる。このため見切り径が変更となっても導通部材２９とほぼ対向する位置に位置決め部材２３１を配置することができるので、１種類のソーラーセル体２３７をサイズの異なるムーブメントに共通に使用することが可能となる。
【００３１】
続いて、本発明の第４の実施形態について説明する。第１の実施形態の部材と同一の構成には同一の符号を付して説明を省略する。図９は本発明の第４の実施形態を示すソーラーセル体３３７の形状であり、組込前の自然状態の平面図である。位置決め部材３３１の位置決め部３３１ｂの形状は長方形状の穴で形成されている。このように、位置決め部材の位置決め部の形状は、Ｌ字状でなくても良く、このほかには円形状や長穴形状などでも発明の効果を発揮することが出来る。
【産業上の利用可能性】
【００３２】
本発明のソーラーセル体は、表示面に対して垂直に配置することのできる電子機器に使用して有効である。
【図面の簡単な説明】
【００３３】
【図１】本発明の実施形態におけるリングソーラー発電時計の構造を示す外観斜視図である。
【図２】本発明の実施形態におけるリングソーラー発電時計の断面図である。
【図３】本発明の第１の実施形態におけるソーラーセル体の平面図である。
【図４】本発明の第１の実施形態におけるムーブメント組立時にソーラーセルをムーブメント支持台に組み込む状態を示す斜視図である。
【図５】本発明の実施形態におけるソーラーセルをムーブメント支持台に組み込んだ状態を示す斜視図である。
【図６】本発明の実施形態におけるソーラーセルの位置決め部材がムーブメント支持台のフックに係合している状態を示す斜視図である。
【図７】本発明の第２の実施形態におけるソーラーセル体の平面図である。
【図８】本発明の第３の実施形態におけるソーラーセル体の平面図である。
【図９】本発明の第４の実施形態におけるソーラーセル体の平面図である。
【符号の説明】
【００３４】
１１  側胴
１３  文字板
１５  指針
１７  ソーラーセル
１９  風防ガラス
２１  見返しリング
２３  ムーブメント
２５  ムーブメント支持台
２９  導通部材
２９ａ  導通部材の固着部
２９ｂ  導通部材の導通部
３１，１３１，２３１，３３１  位置決め部材
３１ａ，１３１ａ、２３１ａ、３３１ａ  位置決め部材の固着部
３１ｂ，１３１ｂ、２３１ｂ、３３１ｂ  位置決め部材の位置決め部
３３  端子押さえ
３５  裏蓋
３７，１３７，２３７，３３７  ソーラーセル体
３９  フック部
４１  溝部
４２  側壁部
４３  内壁部
【図１】
2010025834.tif 000003
【図２】
2010025834.tif 000004
【図３】
2010025834.tif 000005
【図４】
2010025834.tif 000006
【図５】
2010025834.tif 000007
【図６】
2010025834.tif 000008
【図７】
2010025834.tif 000009
【図８】
2010025834.tif 000010
【図９】
2010025834.tif 000011